(57)【要約】【課題】  従来の表示態様では認識し難い情報を認識し易くするための工夫が図られたカメラを提供する。【解決手段】  写真フィルムが装填され、被写体からの入射光を装填された写真フィルム上に照射することにより撮影を行なうカメラにおいて、装填された写真フィルムの感度を設定もしくは検出する感度取得部と、カメラ前面に配備された複数のイルミネーション光源と、前記複数のイルミネーション光源に、前記感度取得部で取得した感度に応じた態様の点滅を行なわせるイルミネーション制御部とを備えた。【選択図】        図３
2005275106.tif 000002
【特許請求の範囲】
【請求項１】
写真フィルムが装填され、被写体からの入射光を装填された写真フィルム上に照射することにより撮影を行なうカメラにおいて、
装填された写真フィルムの感度を設定もしくは検出する感度取得部と、
カメラ前面に配備された複数のイルミネーション光源と、
前記複数のイルミネーション光源に、前記感度取得部で取得した感度に応じた態様の点滅を行なわせるイルミネーション制御部とを備えたことを特徴とするカメラ。
【請求項２】
写真フィルムが装填され、被写体からの入射光を装填された写真フィルム上に照射することにより撮影を行なうカメラにおいて、
現在装填されている写真フィルムの、装填されてからの経過時間を計測する時間計測部と、
カメラ前面に配備された複数のイルミネーション光源と、
前記複数のイルミネーション光源に前記時間計測部で計測された経過時間に応じた態様の点滅を行なわせるイルミネーション制御部とを備えたことを特徴とするカメラ。
【発明の詳細な説明】
【技術分野】
【０００１】
本発明は、被写体からの入射光を捉えることにより撮影を行なうカメラに関する。
【背景技術】
【０００２】
従来より、パトローネに収納された写真フィルムの感度を検出し、筐体上部などに設けられた液晶表示画面などにその感度を数字で表示する機能を有するカメラが知られている。
【０００３】
また、固体撮像素子を備えたデジタルカメラにも、撮影感度の設定が可能なものがあり、この設定された感度は液晶表示画面に表示される。
【０００４】
ここで、写真フィルムを装填して撮影を行なうカメラの場合、カメラに写真フィルムを装填したまま長い間放置しておくと、写真フィルムの特性が変化してしまい充分な性能が発揮できなくなるおそれがあることから、写真フィルムを装填した日付を液晶表示画面などに表示する機能を有するカメラも提案されている（例えば、特許文献１参照。）。
【０００５】
上記特許文献１記載のカメラでは、その日付からの期間が所定以上になると、液晶表示画面に表示される上記日付が点滅するといった工夫がなされている。
【特許文献１】特開昭６２−３４１４０号公報
【発明の開示】
【発明が解決しようとする課題】
【０００６】
しかし、カメラに詳しい一部のユーザを除き、一般のユーザにとっては、これらフィルム感度やフィルムを装填した日付が表示されても認識しづらいという事態が生じている。
【０００７】
本発明は、従来の表示態様では認識し難い情報を認識し易くするための工夫が図られたカメラを提供することを目的とする。
【課題を解決するための手段】
【０００８】
上記目的を達成するための本発明のカメラのうちの第１のカメラは、
写真フィルムが装填され、被写体からの入射光を装填された写真フィルム上に照射することにより撮影を行なうカメラにおいて、
装填された写真フィルムの感度を設定もしくは検出する感度取得部と、
カメラ前面に配備された複数のイルミネーション光源と、
上記複数のイルミネーション光源に、上記感度取得部で取得した感度に応じた態様の点滅を行なわせるイルミネーション制御部とを備えたことを特徴とする。
【０００９】
本発明の第１のカメラでは、感度取得部で設定もしくは検出した感度が、従来のような数字によってではなく、複数のイルミネーション光源の点滅によって表示される。これにより、例えば、感度が高いときはイルミネーション光源を多く点灯させ、感度が低いときはイルミネーション光源を少なく点灯させることで、ユーザに、設定されている感度もしくは検出された感度を、数字で表わされた場合と比べより適確に認識させることができる。
【００１０】
上記目的を達成するための本発明のカメラのうちの第２のカメラは、
写真フィルムが装填され、被写体からの入射光を装填された写真フィルム上に照射することにより撮影を行なうカメラにおいて、
現在装填されている写真フィルムの、装填されてからの経過時間を計測する時間計測部と、
カメラ前面に配備された複数のイルミネーション光源と、
上記複数のイルミネーション光源に上記時間計測部で計測された経過時間に応じた態様の点滅を行なわせるイルミネーション制御部とを備えたことを特徴とする。
【００１１】
本発明の第２のカメラでは、現在装填されている写真フィルムの、装填されてからの経過時間が、従来のような数字によってではなく、複数のイルミネーション光源の点滅によって表示される。これにより、例えば、装填からの経過時間が短いときにはイルミネーション光源を多く点灯させ、経過時間が長くなるに従い点灯されたイルミネーション光源の数を減らしていくことで、ユーザに写真フィルムが装填されてからの経過時間を、数字で表わされた場合と比べより適確に認識させることができる。
【発明の効果】
【００１２】
本発明のカメラによれば、従来の表示態様では認識し難い情報を撮影者に適確に認識させることができる。
【発明を実施するための最良の形態】
【００１３】
以下、本発明のカメラの実施形態について説明する。
【００１４】
図１は、本発明のカメラのうちの第１のカメラ、および、本発明のカメラのうちの第２のカメラについて共通の一実施形態の外観斜視図である。
【００１５】
図１に示すカメラ１には、ズームレンズ１１ａを内蔵したレンズ鏡胴１１がカメラ前面に、ファインダ対物窓１２がレンズ鏡胴１１の上方に、５つの青色ＬＥＤ１３ａ、１３ｂ、１３ｃ、１３ｄ、１３ｅがレンズ鏡胴１１の左側に、フラッシュ発光窓１４がレンズ鏡胴１１の右斜め上方に備えられている。
【００１６】
また、図１には、カメラ上面に、左から順にシャッタボタン１６、フィルム装填経過時間表示ボタン１７、およびフィルム感度表示ボタン１８が備えられている様子が示されている。
【００１７】
本実施形態のカメラ１は、ロール状の写真フィルムが装填される、いわゆる銀塩タイプのズーム機能付コンパクトカメラである。
【００１８】
図２は、本実施形態のカメラの内部ブロック図である。
【００１９】
図２には、このカメラ１の全体の動作を管理するＣＰＵ２０、デート写しこみなどのために使用される時計回路２５、青色ＬＥＤ１３ａ、１３ｂ、１３ｃ、１３ｄ、１３ｅの点滅を制御する青色ＬＥＤ点滅制御回路２３、装填された写真フィルムの感度を検出するフィルム感度検出回路２６、ロール状の写真フィルムが収納されたパトローネがカメラ内部に装填されるとフィルム端部をフィルム巻取り器側に送り込むと共に撮影が終了するたびにフィルムのコマ送りを制御するフィルム給送回路２２、パトローネがカメラ内部に装填された日時を検出し、この日時をＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２１に記録するフィルム装填日時検出回路２４が示されている。
【００２０】
このカメラ１では、通常の撮影を行なう通常撮影モードと、シャッタボタン１６の押下から撮影までに所定の猶予時間が設定された自己撮影モードとが備えられており、モード切換ボタン（不図示）によってそれらモードの切換が可能となっている。
【００２１】
このカメラ１において自己撮影モードが選択されると、シャッタボタン１６を押下してから７秒後に撮影が行なわれるようになっている。
【００２２】
また、このカメラ１におて自己撮影モードが選択されると、カメラ前面に備えられた青色ＬＥＤが、シャッタボタン押下後、撮影までの残り時間に応じたは点滅を行なうようになっており、シャッタボタン押下直後は５つの青色ＬＥＤは全て点灯状態にあるが、残り時間が４秒になった時点で最上段の青色ＬＥＤ１３ａが消灯され、残り時間が３秒となると上から２番目の青色ＬＥＤ１３ｂも消灯される。最終的には最下段の青色ＬＥＤ１３ｅが消灯されるタイミングで撮影が行なわれるようになっている。
【００２３】
さらに、このカメラ１では、図１に示すフィルム感度表示ボタン１８を押下することで、図２に示すフィルム感度検出回路２６によって検出されたフィルム感度に応じた態様での青色ＬＥＤの点滅が行なわれる。
【００２４】
また、このカメラ１では、カメラ内部にパトローネが装填されフィルム給送回路２２が起動された日時が、時計回路２５を利用するフィルム装填日時検出回路２４によってＥＥＰＲＯＭ２１に記憶されており、図１に示すフィルム装填経過時間表示ボタン１７を押下することで、ＥＥＰＲＯＭ２１に記憶されている、フィルム給送回路２２が起動された日時を基に写真フィルムが装填されてからの経過時間が時計回路２５を利用するＣＰＵ２０によって演算され、演算された経過時間に応じた態様での青色ＬＥＤの点滅が行なわれる。
【００２５】
ここで、フィルム感度表示としての青色ＬＥＤの利用について詳しく説明する。
【００２６】
図３は、本実施形態のカメラにおける、フィルム感度に応じた青色ＬＥＤの点滅態様を示す図である。
【００２７】
図３（ａ）から図３（ｅ）には、フィルム感度に応じた青色ＬＥＤの点滅態様がＩＳＯ１００からＩＳＯ１６００までについて示されており、このカメラ１では、感度がＩＳＯ１００の場合には最下段の青色ＬＥＤ１３ｅのみが点灯され、、フィルム感度が上がるたびに点灯される青色ＬＥＤの数は増え、感度がＩＳＯ１６００以上の場合には全ての青色ＬＥＤが点灯される。
【００２８】
このように青色ＬＥＤの点滅をフィルム感度に応じて変化させることで、従来のようにフィルム感度を数字で表示する場合よりも、ユーザにフィルム感度を適確に認識させることができる
図４は、本実施形態に備えられたＣＰＵにおいて実行される、装填されている写真フィルムの感度に応じた点滅を青色ＬＥＤに行なわせるためのルーチンのフローチャートである。
【００２９】
図４に示すルーチンは、図示しない電源がオンされることで実行され、ステップＳ１では、図１に示すフィルム感度表示ボタン１８が押下されたか否かが判定され、押下されていないと判定されると、ステップＳ１を繰り返し、フィルム感度表示ボタン１８が押下されたと判定されると、ステップＳ２に進む。ステップＳ２では、図２に示すフィルム感度検出回路２６によるフィルム感度の検出が行なわれる。これは、写真フィルムが収納されたパトローネに設けられたＤＸコードを読み出すことで行なわれている。
【００３０】
ステップＳ３では、図３において説明した、得られたフィルム感度に応じた青色ＬＥＤの点滅指示がだされ、その後、このルーチンを終了する。
【００３１】
ところで、このカメラ１では、カメラ内部にパトローネが装填されると、フィルム給送が行なわれる前に、装填されたフィルムの感度に応じた点滅が青色ＬＥＤによってなされ、この点滅は、フィルムの最初のフレームが所定位置に引き出されるまで続けられる。
【００３２】
図５は、上述の動作を青色ＬＥＤに行なわさせるルーチンのフローチャートである。
【００３３】
図５に示すステップＳ３１では、フィルムの装填が成されたかが監視されており、フィルムの装填がされたとされると、ステップＳ３２において、フィルム感度の検知が指示される。ステップＳ３３では、フィルム感度が検知されると、図３に説明したと同様なパターンでの青色ＬＥＤの発光開始が指示される。ステップＳ３４では、最初のフィルムフレームの引出し開始が指示され、ステップＳ３５では、引出し終了の確認が指示される。ステップＳ３６では、青色ＬＥＤに消灯が指示され、その後、このルーチンを終了する。
【００３４】
次に、写真フィルムが装填されてからの経過時間を表示するものとしての青色ＬＥＤの利用について説明する。
【００３５】
図６は、写真フィルムが装填されてからの経過時間に応じた青色ＬＥＤの点滅態様を示す図である。
【００３６】
図６（ａ）から図６（ｄ）には、左から順に写真フィルムが装填されてから１か月以内、３ヶ月以内、６ヶ月以内、６ヶ月以上超過の場合の青色ＬＥＤの点滅態様が示されており、写真フィルム装填直後は全ての青色ＬＥＤが点灯されているのが、写真フィルムが装填されてからの時間が経過すればするほど上段の青色ＬＥＤから順に消灯されていく様子が示されている。
【００３７】
このように青色ＬＥＤの点滅を写真フィルムが装填されてからの経過時間に応じて変化させることで、従来のように写真フィルムが装填された日時を数字で表示する場合よりも、ユーザに写真フィルムが装填されてからの経過時間を適確に認識させることができる。
【００３８】
図７は、本実施形態に備えられたＣＰＵにおいて実行される、写真フィルムが装填されてからの経過時間に応じた点滅を青色ＬＥＤに行なわせるためのルーチンのフローチャートである。
【００３９】
図７に示すルーチンは、図示しない電源がオンされることで実行され、ステップＳ１１では、図１に示すフィルム装填日時表示ボタン１７が押下されたか否かが判定され、ステップＳ１１において、ボタンが押下されていないと判定されると、ステップＳ１１を繰り返し、ボタンが押下されたと判定されると、ステップＳ１２に進み、写真フィルムが装填されているか否かが判定される。尚、ステップＳ１２の判定は、図２に示すフィルム感度検出回路２６によるフィルム感度の検出が可能か否かによって判定されている。その後、ステップＳ１３に進み、前述したように、図２に示すフィルム装填日時検出回路２４によって検出されＥＥＰＲＯＭ２１に記憶されている日時を基に現在までの経過時間が演算される。
【００４０】
ステップＳ１４では、演算された経過時間が１ヶ月以内であるか否かが判定され、経過時間が一ヶ月以内であると判定されると、ステップＳ１５に進み、図６（ａ）に示すように全ての青色ＬＥＤの点灯指示が出される。その後、ステップＳ２１に進み、これらに対する消灯指示が出され、その後、このルーチンを終了する。
【００４１】
ステップＳ１４において経過時間が一ヶ月以内ではないと判定されると、ステップＳ１６に進み、経過時間が３ヶ月以内であるか否かが判定され、３ヶ月以内であると判定されると、ステップＳ１７に進み、図６（ｂ）に示すように下から３つの青色ＬＥＤのみが点灯指示が出され、その後、ステップＳ２１に進み、これらに対する消灯指示が出された後、このルーチンを終了する。
【００４２】
ステップＳ１６において経過時間が３ヶ月以内ではないと判定されると、ステップＳ８に進み、経過時間が６ヶ月以内であるか否かが判定され、６ヶ月以内であると判定されると、ステップＳ１９に進み、図６（ｃ）に示すように、最下段の青色ＬＥＤのみが点灯指示が出され、その後、ステップＳ２１に進み、これらのに対する消灯指示が出され後、このルーチンを終了する。
【００４３】
ステップＳ１８において、経過時間が６ヶ月以内ではないと判定されると、ステップＳ２０に進み、図６（ｄ）に示すように全ての青色ＬＥＤへの点滅指示が出される。その後、ステップＳ２１に進み、全ての青色ＬＥＤに対する消灯指示が出された後、このルーチンを終了する。
【００４４】
以上に説明したように、本実施形態のカメラ１では、自己撮影モードで利用されている青色ＬＥＤが、フィルム感度および写真フィルムが装填されてからの経過時間を表示するものとしても利用されている。このようにすると、フィルム感度や写真フィルムが装填されてからの経過時間を、数字で表わされた場合と比べ適確にユーザーに認識させることができる。
【００４５】
次に、本発明のカメラのうちの第１のカメラの第２実施形態について説明する。本実施形態のカメラ２は、備えられている撮像素子から出力される信号に対するゲイン設定である、いわゆる感度設定が自在なタイプのズーム機能付デジタルスチルカメラであり、所定のボタンを押下することで、現在設定されている感度が自己撮影時の撮影までのカウントダウンに使用されている５つの青色ＬＥＤを利用して表示されるようになっている。
【００４６】
図８は、本発明のカメラのうちの第１のカメラの第２実施形態の外観斜視図である。尚、以下では、図１において示されるものと同じ種類のものには、図１において付された符号と同じ符号が付されている。
【００４７】
図８には、本実施形態のカメラ２の前面中央にズームレンズ１１ａを内蔵したレンズ鏡胴１１、レンズ鏡胴１１の上方にファインダ対物窓１２、レンズ鏡胴１１の左側に５つの青色ＬＥＤ１３ａ、１３ｂ、１３ｃ、１３ｄ、１３ｅ、および、レンズ鏡胴１１の右斜め上方にフラッシュ発光窓１４が備えられている様子が示されている。
【００４８】
また、図８には、カメラ上面にシャッタボタン１６が備えられている様子が示されている。
【００４９】
図９は、本実施形態のカメラの背面側からの外観斜視図である。
【００５０】
図９には、画像を表示する液晶表示パネル２００、液晶表示パネル２００による画像表示をオン／オフするための液晶表示パネル起動ボタン２２０、ファインダ接眼窓２５０、撮影モード選択ダイヤル２７０、バリエーションの選択およびズームを行なう際に操作する十字キー２８０、液晶表示パネル上にメニューを表示させたり、その確定に使用されるメニュー／ＯＫスイッチ２６０、および、現在設定されている感度を５つの青色ＬＥＤで表示させる際に押下される設定感度表示ボタン１８０が示されている。
【００５１】
また、図９には、このカメラ２に備えられている‘撮影記録機能’および‘画像データ再生機能’のうちのいずれを選択するかを決定するために操作される機能選択レバー２４０も示されており、この機能選択レバー２４０を上側にもっていくと‘撮影記録機能’が選択され、この機能選択レバー２４０を下側にもっていくと‘画像データ再生機能’が選択される。尚、この機能選択レバー２４０の軸部には、電源スイッチ２３０も示されている。
【００５２】
図１０は、本実施形態のカメラの内部ブロック図である。尚、このカメラ２には、フラッシュ装置、フラッシュ受光センサ、光学ズームやフォーカシングを行なうために駆動されるモータ、モータを制御するモータドライバなどが備えられているが、これらの図示は、本発明と無関係であるので省略されている。
【００５３】
図１０には、このカメラ２全体を制御するＣＰＵ３０と、このＣＰＵ３０の指示により、撮影像レンズ１１ａを通して被写体が結像されるＣｈａｒｇｅ  Ｃｏｕｐｌｅｄ  Ｄｅｖｉｃｅ（ＣＣＤ）撮像素子３１を駆動させることで、ＣＣＤ撮像素子３１から被写体像を表わす画像信号の出力を行なわせるタイミングジェネレータ３２と、この出力された画像信号を増幅する増幅回路３３と、増幅回路３２で増幅された画像信号をデジタル画像データに変換して処理する画像処理回路３４とが示されている。
【００５４】
また、図１０には、画像処理回路３４からのビデオ信号をデジタル信号からアナログ信号に変換して増幅する画像表示制御回路３５も示されている。この画像表示制御回路３５の制御によって液晶表示パネル２００では画像が表示される。
【００５５】
さらに、図１０には、カメラ２の前面に備えられた５つの青色ＬＥＤの点滅を制御する青色ＬＥＤ点滅制御回路２３と、増幅回路３３において設定されているゲイン、すなわち設定感度を検出する設定感度検出回路３６とが示されている。
【００５６】
ここで、機能選択レバー２４０によって‘撮影記録機能’が選択された上で、さらにモードの選択を行なう際に操作される、図８にも示すモード設定ダイヤル２７０について説明する。このモード設定ダイヤル２７０は、このカメラ２に備えられたモードである‘マニュアル’モード、‘ＡＵＴＯ（オート）’モード、‘自己撮影’モードの計３種類のモードのうちのいずれかを選択する際に操作されるダイヤルであり、感度の再設定は‘マニュアル’モードを選択して行なう。また、‘自己撮影’モードでは、カメラ１の場合と同様に撮影までのカウントダウンがカメラ前面に備えられた５つの青色ＬＥＤの点滅態様の変化によって被写体側に知らされる。
【００５７】
図１１は、本実施形態のカメラの、モードダイヤルの状態、および、液晶表示パネルに表示される画像を示す図である。
【００５８】
図１０の左端には、モード設定ダイヤル２７０によって‘マニュアル’モードが選択されている様子が示されており、このモード設定ダイヤル２７０上には、他に‘自己撮影’モード、‘ＡＵＴＯ（オート）’モードを表わすマークも示されている。
【００５９】
図１１（ａ）から図１１（ｃ）には、液晶表示パネル２００に表示される画像が、図９に示す十字キー２８０およびメニュー／ＯＫボタン２６０の操作によって変化する様子が示されている。
【００６０】
以下、図９に示す電源スイッチ２３０を押下して、機能選択レバー２４０によって‘撮影記録’機能を選択した後、このモード設定ダイヤル２７０で‘マニュアル’モードを選択して行なわれる感度設定について説明する。
【００６１】
まず、モード設定ダイヤル２７０で‘マニュアル’モードが選択されると、図１１（ａ）に示すスルー画像が液晶表示パネル２００に表示される。尚、図１１（ａ）の上端左側には、‘マニュアル’モードが選択されていることを表わすマークが表示されている。
【００６２】
ここで、図８に示すメニュー／ＯＫボタン２６０を押下すると、液晶表示パネル２００には、図１１（ｂ）に示す画像が表示される。
【００６３】
図１１（ｂ）には、この‘マニュアル’モードで選択することのできる複数のメニューが表示されている様子が示されている。ここでは、デフォルトでメニュー‘感度’が選択されており、このことを示すために、図１１（ｂ）の中段左側に示す表示‘感度’がライトアップされていると共に、図１１（ｂ）の上端左側にも‘感度’が表示されている。
【００６４】
図１１（ｃ）には、図１１（ｂ）に示すようにデフォルトメニュー‘感度’をライトアップさせたまま十字キー２８０を操作して、このカメラ２において設定可能なＩＳＯ感度（１００、２００、４００、８００、１６００）のうち、ＩＳＯ感度４００を選択した場合の液晶表示パネル２００における表示画像が示されている。このカメラ２では、以上に説明したようにして感度設定が行なわれる。
【００６５】
上記に示すようにして感度がＩＳＯ４００に設定されたカメラ２では、図９に示す設定感度表示ボタン１８０が押下されると、図８に示す５つの青色ＬＥＤにおいてＩＳＯ４００に応じた態様の点滅が行なわれるが、５つの青色ＬＥＤの点滅態様についての説明は、図３においてした説明と同じとなるので省略する。
【００６６】
設定されている感度に応じた点滅を青色ＬＥＤに行なわせるために起動されるルーチンの説明についても、図４においてした説明に対し、カメラ１で検出されていたフィルム感度表示ボタン１８への操作がカメラ２では設定感度表示ボタン１８０への操作に置き換えられ、カメラ１ではフィルム感度検出回路で検出されていたフィルム感度が、カメラ２では設定感度検出回路によって検出されるように置き換えられるだけであるので説明は省略する。
【００６７】
以上に説明したように、本実施形態のカメラ２では、自己撮影モードで利用されている青色ＬＥＤが、ＣＣＤからの信号のゲインを調節することで設定される感度を表示するものとしても利用されている。このようにすると、設定感度を、数字で表わされた場合と比べ適確にユーザーに認識させることができる。
【００６８】
尚、以上の実施形態では、５つの青色ＬＥＤが、自己撮影の際のカウントダウン表示としても兼用されている場合を例に挙げて説明したが、本発明はこれに限るものではなく、店頭販売におけるデモンストレーション表示として、さらには、閃光発光装置の充電状態表示として兼用されているものであってもよい。また、以上の実施形態で挙げた点滅態様についても、フィルム感度あるいは設定感度、および写真フィルムが装填されてからの経過時間を被写体側に適確に認識させることができる点滅態様であればここに挙げた例に限るものではない。また、以上の実施形態では、青色ＬＥＤを用いた場合を例に挙げて説明したが、本発明はこれに限るものではなく、白色ＬＥＤであってもよい。
【図面の簡単な説明】
【００６９】
【図１】本発明のカメラのうちの第１のカメラ、および、本発明のカメラのうちの第２のカメラに共通の一実施形態の外観斜視図である。
【図２】本実施形態のカメラの内部ブロック図である。
【図３】本実施形態のカメラにおける、フィルム感度に応じた青色ＬＥＤの点滅態様を示す図である。
【図４】本実施形態に備えられたＣＰＵにおいて実行される、装填されている写真フィルムの感度に応じた点滅を青色ＬＥＤに行なわせるためのルーチンのフローチャートである。
【図５】点滅動作を青色ＬＥＤに行なわさせるルーチンのフローチャートである。
【図６】写真フィルムが装填されてからの経過時間に応じた青色ＬＥＤの点滅態様を示す図である。
【図７】本実施形態に備えられたＣＰＵにおいて実行される、写真フィルムが装填されてからの経過時間に応じた点滅を青色ＬＥＤに行なわせるためのルーチンのフローチャートである。
【図８】本発明のカメラのうちの第１のカメラの第２実施形態の外観斜視図である。
【図９】本実施形態のカメラの背面側からの外観斜視図である。
【図１０】本実施形態のカメラの内部ブロック図である。
【図１１】本実施形態のカメラの、モードダイヤルの状態、および、液晶表示パネルに表示される画像を示す図である。
【符号の説明】
【００７０】
１、２００  カメラ
１１  レンズ鏡胴
１１ａ  ズームレンズ
１２  ファインダ対物窓
１３ａ、１３ｂ、１３ｃ、１３ｄ、１３ｅ  青色ＬＥＤ
１４  フラッシュ発光窓
１６  シャッタボタン
１７  フィルム装填経過時間表示ボタン
１８  フィルム感度表示ボタン
２０、３０  ＣＰＵ
２１  ＥＥＰＲＯＭ
２２  フィルム給送回路
２３  青色ＬＥＤ点滅制御回路
２４  フィルム装填日時検出回路
２５  時計回路
２６  フィルム感度検出回路
３１  撮像素子
３２  タイミングジェネレータ
３３  増幅回路
３４  画像処理回路
３５  画像表示制御回路
３６  設定感度検出回路
１８０  設定感度表示ボタン
２００  液晶表示パネル
２２０  液晶表示パネル起動ボタン
２３０  メインスイッチ
２４０  機能選択レバー
２５０  ファインダ接眼窓
２６０  メニュー／ＯＫスイッチ
２７０  撮影モード選択ダイヤル
２８０  十字キー
【図１】
2005275106.tif 000003
【図２】
2005275106.tif 000004
【図３】
2005275106.tif 000005
【図４】
2005275106.tif 000006
【図５】
2005275106.tif 000007
【図６】
2005275106.tif 000008
【図７】
2005275106.tif 000009
【図８】
2005275106.tif 000010
【図９】
2005275106.tif 000011
【図１０】
2005275106.tif 000012
【図１１】
2005275106.tif 000013